(57)【要約】      （修正有）【課題】請求項のディテールに構成要素定義や叙述定義による検索を可能にする方法を提供する。【解決手段】検索キーワードに基いて、特許データベースでの請求項検索処理を行うことにより、検索キーワードが指定される構成属性に含まれる構成要素定義且つ／又は叙述定義を得るキーワード検索執行工程と、特許検索結果の各検索結果特許の各構成属性を備える構成要素定義且つ／又は演繹叙述定義を統計することにより、各構成属性を備える演繹構成要素定義且つ／又は演繹叙述定義を得る定義統計工程と、キーワードのアドバイスとして各構成属性が含まれる演繹構成要素定義且つ／又は演繹叙述定義を提供するキーワードアドバイス提供工程とを含む特許検索キーワードを薦める。【選択図】なし【特許請求の範囲】
【請求項１】
検索キーワードに基いて、特許データベースでの請求項検索処理、且つ／又は明細書検索処理、且つ／又は書誌データ検索処理、を行うことにより、主題の属性且つ／又は構成要素名詞属性且つ／又は連接叙述属性且つ／又は追記セッション属性を含む構成属性に分類される少なくとも一つの構成要素定義又は少なくとも一つの叙述定義を含み、且つ複数の検索結果特許を含む特許検索結果を得るキーワード検索執行工程と、
前記特許検索結果の各前記検索結果特許の各前記構成属性を備える前記構成要素定義且つ／又は演繹叙述定義を統計することにより、各前記構成属性を備える演繹構成要素定義且つ／又は前記演繹叙述定義を得る定義統計工程と、キーワードのアドバイスとして各前記構成属性が含まれる前記演繹構成要素定義且つ／又は前記演繹叙述定義を提供するキーワードアドバイス提供工程と
を含む、前記検索キーワードに基いて前記検索キーワードと関連したデータをアドバイスキーワードとして提供する特許検索キーワードを薦める方法。
【請求項２】
前記キーワード検索執行工程において、前記検索キーワードに所属構成属性が指定されて前記特許データベースでの前記請求項検索処理且つ前記定義統計工程が、前記演繹構成要素定義且つ／又は前記演繹叙述定義として、各前記検索結果特許の前記検索キーワードの前記所属構成属性において前記検索キーワードと異なる構成要素定義且つ／又は叙述定義を得て、前記所属構成属性が所属目的の属性且つ／又は所属構成要素名詞属性且つ／又は所属連接叙述属性且つ／又は所述追記セッション属性且つ／又は所属明細書属性且つ／又は所属要約属性且つ／又は書誌データ属性を含む、請求項１に記載の特許検索キーワードを薦める方法。
【請求項３】
前記検索キーワードが指定された前記所属構成属性の構成要素定義且つ／又は叙述定義と一致して出現且つ／又は曖昧に出現することにより、前記請求項検索処理且つ／又は前記明細書検索処理且つ／又は前記書誌データ検索処理を行う、請求項１又は２に記載の特許検索キーワードを薦める方法。
【請求項４】
前記定義統計工程が、前記特許検索結果の各検索結果特許が所属する各構成属性が含む構成要素定義且つ／又は叙述定義の品詞形式を原型形式に還元し、前記原型形式をもって前記構成要素定義且つ／又は前記叙述定義の統計を行う品詞形式復元サブ工程をさらに含む、請求項３に記載の特許検索キーワードを薦める方法。
【請求項５】
前記定義統計工程が各構成属性に含まれる各叙述構成要素定義且つ／又は前記叙述構成要素定義の個別出現回数を統計して、前記個別出現回数により順位を決めることにより、各構成属性に含まれる各叙述構成要素定義順位結果且つ／又は前記叙述構成要素定義順位結果を得て、且つ前記キーワードアドバイス提供工程が各構成属性に含まれる各叙述構成要素定義順位結果且つ／又は前記叙述構成要素定義順位結果に基いて、前記キーワードアドバイスとして各構成属性に含まれる各叙述構成要素定義且つ／又は前記叙述構成要素定義を提供する、請求項３又は４に記載の特許検索キーワードを薦める方法。
【請求項６】
前記キーワードアドバイス提供工程の後、使用者に前記キーワードアドバイス提供工程が提供するキーワードアドバイスを選択させるキーワード選択インターフェースを提供するキーワードアドバイス選択工程をさらに含む請求項５に記載の特許検索キーワードを薦める方法。
【請求項７】
前記キーワードアドバイス提供工程が提供したキーワードアドバイスが、選択された後に複数の前記検索結果特許の数且つ／又は数の変化を表示する請求項６に記載の特許検索キーワードを薦める方法。
【発明の詳細な説明】
【技術分野】
【０００１】
本発明は特許検索キーワードを薦める方法、特に請求項に含まれる構成属性をデータの関連性として特許検索キーワードを薦める方法を提供する。
【背景技術】
【０００２】
正確な特許検索結果は正確な検索キーワードに基いたものである。請求項が特許の要であることに鑑みて、もし請求項の内容に対してより精密な方法で検索を行えば、より正確な特許検索結果を得ることが出来るため、請求項に対して特許検索を行うことが検索効率を上げる方法として数えられる。しかしながら、従来の特許検索システムでは請求項のディテールに対する更なる分類が存在せず、明細書と請求項だけに分類して、請求項のディテールに対して検索を行うことが出来ない。つまり、従来の技術は請求項のディテールに更なる細別処理を加えることが出来ない。故に請求項に対して更なる精密な検索を行えない問題がある。前記ディテールは：構成要素定義（主題、主要構成要素、副次構成要素が含まれる）及び叙述定義（即ち連接関係叙述、追記など）が挙げられる。つまり、従来の特許検索において、例え請求項に対して検索を行っても、該当検索キーワードの請求項における重要性を確認できない（即ち、キーワードが主題、主要構成要素、副次構成要素、連接関係叙述或いは追記であるかを確認できない）。また従来技術は該当検索キーワードが請求項における位置しか表示できず、使用者が自ら経験や知識を以って該当キーワードの重要性を見出す必要がある。これまで請求項に対してディテールに更なる細別処理を加えることが出来ない理由は、前記細別処理が複雑なロジック計算及び膨大な特許データ量に関わるためであった。
【０００３】
また、従来の特許検索システムにおけるキーワードを薦める方法は稀であり、その検索キーワードを薦める方法も科学的とは言えず、従来の前記検索キーワードを薦める方法は同義語方式で膨大な語彙の間の同義関連性を定める。しかしながらこのような検索キーワードを薦める結果は冗長で使用頻度も低い特許分野の語彙を産出する結果になる。故に従来の検索キーワードを薦める方法は効率が低くて人々に受け入れられなかった。
【発明の概要】
【発明が解決しようとする課題】
【０００４】
故に、本発明は前述問題を解決するために、特許検索キーワードを薦める方法を提供する。
【課題を解決するための手段】
【０００５】
本発明は前述問題を解決するために、検索キーワードに基いて、特許データベースでの請求項検索処理、且つ／又は明細書検索処理、且つ／又は書誌データ検索処理、を行うことにより、主題の属性且つ／又は構成要素名詞属性且つ／又は連接叙述属性且つ／又は追記セッション属性を含む構成属性に分類される少なくとも一つの構成要素定義又は少なくとも一つの叙述定義を含み、且つ複数の検索結果特許を含む特許検索結果を得るキーワード検索執行工程と、前記特許検索結果の各前記検索結果特許の各前記構成属性を備える前記構成要素定義且つ／又は演繹叙述定義を統計することにより、各前記構成属性を備える演繹構成要素定義且つ／又は前記演繹叙述定義を得る定義統計工程と、キーワードのアドバイスとして各前記構成属性が含まれる前記演繹構成要素定義且つ／又は前記演繹叙述定義を提供するキーワードアドバイス提供工程とを含み、前記検索キーワードに基いて前記検索キーワードと関連したデータをアドバイスキーワードとして提供する特許検索キーワードを薦める方法である。
【０００６】
本発明の一つの実施形態では特許検索キーワードを薦める方法を提供する。前記キーワード検索執行工程において、前記検索キーワードに所属構成属性が指定されて前記特許データベースでの前記請求項検索処理且つ前記定義統計工程が、前記演繹構成要素定義且つ／又は前記演繹叙述定義として、各前記検索結果特許の前記検索キーワードの前記所属構成属性において前記検索キーワードと異なる構成要素定義且つ／又は叙述定義を得て、前記所属構成属性が所属目的の属性且つ／又は所属構成要素名詞属性且つ／又は所属連接叙述属性且つ／又は所述追記セッション属性且つ／又は所属明細書属性且つ／又は所属要約属性且つ／又は書誌データ属性を含む。
【０００７】
本発明の一つの実施形態では特許検索キーワードを薦める方法を提供する。前記検索キーワードが指定された前記所属構成属性の構成要素定義且つ／又は叙述定義と一致して出現且つ／又は曖昧に出現することにより、前記請求項検索処理且つ／又は前記明細書検索処理且つ／又は前記書誌データ検索処理を行う。
【０００８】
本発明の一つの実施形態では特許検索キーワードを薦める方法を提供する。前記定義統計工程が、前記特許検索結果の各検索結果特許が所属する各構成属性が含む構成要素定義且つ／又は叙述定義の品詞形式を原型形式に還元し、前記原型形式をもって前記構成要素定義且つ／又は前記叙述定義の統計を行う品詞形式復元サブ工程をさらに含む。
【０００９】
本発明の一つの実施形態では特許検索キーワードを薦める方法を提供する。前記定義統計工程が各構成属性に含まれる各叙述構成要素定義且つ／又は前記叙述構成要素定義の個別出現回数を統計して、前記個別出現回数により順位を決めることにより、各構成属性に含まれる各叙述構成要素定義順位結果且つ／又は前記叙述構成要素定義順位結果を得て、且つ前記キーワードアドバイス提供工程が各構成属性に含まれる各叙述構成要素定義順位結果且つ／又は前記叙述構成要素定義順位結果に基いて、前記キーワードアドバイスとして各構成属性に含まれる各叙述構成要素定義且つ／又は前記叙述構成要素定義を提供する。
【００１０】
本発明の一つの実施形態では特許検索キーワードを薦める方法を提供する。前記キーワードアドバイス提供工程の後、使用者に前記キーワードアドバイス提供工程が提供するキーワードアドバイスを選択させるキーワード選択インターフェースを提供するキーワードアドバイス選択工程をさらに含む。
【００１１】
本発明の一つの実施形態では特許検索キーワードを薦める方法を提供する。前記キーワードアドバイス提供工程が提供したキーワードアドバイスが、選択された後に複数の前記検索結果特許の数且つ／又は数の変化を表示する。
【発明の効果】
【００１２】
本発明の検索キーワードを薦める方法は、請求項に含まれる構成属性をデータ演繹又はデータ帰納を行う際のデータ関連性の根拠として、検索キーワードで特許データベースの請求項特許検索処理を行うことにより検索特許において指定される構成属性に前記検索キーワードが含まれる構成要素定義及び／又は叙述定義を得て、統計、番付を加えて使用者に提供し、アドバイスキーワードを得る。本発明の検索キーワードを薦める方法では、前記検索キーワードと特許実務上に関連するデータ関連性アドバイスキーワードが得られて、故に本発明が従来の同義語方式と比べるとより科学的、ロジック的であり、故に検索の精度が高くなり、且つ検索方向が正確なことにより需要に応じて帰納することができるため検索結果の数を減らすことができ、また演繹して科学的に増加することも出来る。
【００１３】
以下の実施形態及び図面により、本発明が採用した具体実施形態をさらに説明する。
【図面の簡単な説明】
【００１４】
【図１】本発明の第一実施形態に基いたキーワード検索インターフェースの検索前を示す図である。
【図２】は本発明の実施形態に基いたキーワード検索インターフェースの検索後を示す図である。
【図３ａ−３ｃ】各検索結果特許を示す図である。
【図４】本発明の実施形態に基いたキーワード選択インターフェースのアドバイスキーワード選択を示す図である。
【図５】本発明の実施形態に基いたキーワード選択インターフェースの別のアドバイスキーワード選択を示す図である。
【図６】本発明の別の実施形態に基いたキーワード選択インターフェースのアドバイスキーワード選択を示す図である。
【図７】本発明の実施形態に基いたキーワード選択インターフェースの連続アドバイスキーワード選択の表示画面である。
【図８】本発明の実施形態に基いたキーワード選択インターフェースの連続アドバイスキーワード選択の表示画面である。
【図９】本発明の実施形態に基いた特許検索キーワードを薦める方法のフロー図である。
【図１０】本発明の実施形態に基いた特許検索キーワードを薦める方法を示す図である。
【発明を実施するための形態】
【００１５】
以下は図１〜図１０に基いて、本発明の実施形態について説明する。該当説明は本発明の実施形態の一つの例示にすぎず、本発明の実施形態を限定するものではない。
【００１６】
図９が示すように、本発明の一つ実施形態の特許検索キーワードを薦める方法では、検索キーワードＫによって前記検索キーワードＫにデータ的に関わるアドバイスキーワードＫ’を得る。前記特許検索キーワードを薦める方法はキーワード検索執行工程Ｓ１０１、定義統計工程Ｓ１０２及びキーワードアドバイス提供工程Ｓ１０３である。
【００１７】
本発明の各工程を詳しく説明する前に、まずは本発明の「構成属性」を定義する。本発明が定義した構成属性には、主題属性、構成要素名詞属性、連接叙述定義属性、追記セッション属性、明細書属性、要約属性及び書誌データ属性が含まれる。
【００１８】
図１は本発明の第一実施形態に基いたキーワード検索インターフェースの検索前を示す図である。図１が示すように、本発明のキーワード検索インターフェースのキーワード入力欄は：属性無制限キーワード入力欄Ｌ、主題キーワード入力欄Ｌ１、構成要素キーワード入力欄Ｌ２、連接叙述定義キーワード入力欄Ｌ３、追記セッションキーワード入力欄Ｌ４及び書誌データ入力欄Ｌ７が含まれる。即ち、属性無制限キーワード入力欄Ｌ以外、各構成属性が使用者に前記検索キーワードＫを何れの欄又はその組み合せに入力させるように少なくとも一つのキーワード入力欄を備える。図１は一つの構成属性に一つのキーワード入力欄を備える例を挙げる。他の例として、一つの構成属性には二つ以上のキーワード入力欄を備えることもできる。
【００１９】
前記書誌データ属性はさらに技術分類番号属性（例えばＩＰＣ、ＵＰＣなど）、特許権者属性及び発明者属性などに分類することが出来る。故に前記書誌データ属性キーワード入力欄Ｌ７はさらに技術分類番号属性キーワード入力欄Ｌ７１、特許権者属性キーワード入力欄Ｌ７２及び発明者属性キーワード入力欄Ｌ７３に分類することが出来る。しかし本発明はそれに限らず、技術分類番号属性、特許権者属性及び発明者属性を一つの入力データキーワード入力欄Ｌ７に統合することもできる。且つそれにより提供される検索キーワードＫを備える構成属性は上記構成属性の組み合わせであることができ、且つ各構成属性の入力欄は一つに限らず複数であってもいい。
【００２０】
続いて前記検索キーワードを薦める方法はキーワード検索執行工程Ｓ１０１が含まれることを説明する。
【００２１】
図９及び図１０が示すように、前記キーワード検索執行工程Ｓ１０１では、検索キーワードＫで特許データーベースＤの請求項検索処理、且つ／又は明細書検索処理、且つ／又は書誌データ検索処理、を行うことにより、複数の検索結果特許Ｒ１、Ｒ２、Ｒ３……が含まれる特許検索結果Ｒを得る（図１０が示すように）。即ち、使用者が検索キーワードＫを各構成属性に属すキーワード入力欄に入力することにより、前記キーワード入力欄が属す構成属性に基いて請求項検索処理且つ／又は明細書検索処理且つ／又は書誌データ検索処理を行う。前記検索キーワードＫが前記主題キーワード入力欄Ｌ１、前記構成要素キーワード入力欄Ｌ２、前記連接叙述定義キーワード入力欄Ｌ３或いは前記追記セッションキーワード入力欄Ｌ４に入力される場合、前記請求項検索処理を行う、前記検索キーワードＬが前記明細書キーワード入力欄或いは前記要約キーワード入力欄に入力される場合、前記明細書検索処理を行う。前記検索キーワードＫが前記書誌データ入力欄Ｌ７に入力される場合、前記書誌データ検索処理を行う。そして、前記請求項検索処理、前記明細書検索処理或いは前記書誌データ検索処理を行うことにより複数の検索結果特許が含まれる特許検索結果を得る（即ち、前記特許検索結果に複数の検索結果特許が含まれている）。
【００２２】
例えば、図１が示すように、「ｍｏｕｎｔｉｎｇ」が前記属性無制限キーワード入力欄Ｌに入力される入力データは検索キーワードＫとして、すべての構成属性（前記主題属性、前記構成要素名詞属性、前記連接叙述定義属性、前記追記セッション属性、前記明細書属性、前記要約属性及び前記書誌データ属性）において前記請求項検索処理、前記明細書検索処理及び前記書誌データ検索処理を行って、複数の検索結果特許Ｒ１、Ｒ２、Ｒ３……を得る。
【００２３】
各検索結果特許Ｒ１、Ｒ２、Ｒ３……の請求項が少なくとも一つの構成要素定義或いは少なくとも一つの叙述定義が含まれる。例えば：
【００２４】
「Ａ  ｍｏｕｎｔｉｎｇ  ｂｒａｃｋｅｔ  ｆｏｒ  ａ  ｒｏｏｆ  ｗｉｎｄｏｗ，  ｃｏｍｐｒｉｓｉｎｇ：  ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，  ｗｈｅｒｅｉｎ  ｔｈｅ  ｆｒａｍｅ  ｍｏｕｎｔａｂｌｅ  ｅｌｅｍｅｎｔ  ｉｓ  ａ  ｆｌｅｘｉｂｌｅ  ｍａｔｅｒｉａｌ．」
【００２５】
上記文章において、下線を引いた部分が構成要素定義であり：「Ａ  ｍｏｕｎｔｉｎｇ  ｂｒａｃｋｅｔ」、ａ  ｒｏｏｆ  ｗｉｎｄｏｗ」、「ａ  ｆｒａｍｅ  ｍｏｕｎｔａｂｌｅ  ｅｌｅｍｅｎｔ」、「ａｎ  ｅｄｇｅ  ｏｆ  ｔｈｅ  ｒｏｏｆ  ｗｉｎｄｏｗ」、「ａ  ｒｏｏｆ  ｍｏｕｎｔａｂｌｅ  ｅｌｅｍｅｎｔ」、「ｔｈｅ  ｆｒａｍｅ  ｍｏｕｎｔａｂｌｅ  ｅｌｅｍｅｎｔ」、「ａ  ｈｉｎｇｅ  ｅｌｅｍｅｎｔ」、「ａ  ｂａｓｅ  ｏｆ  ｔｈｅ  ｒｏｏｆ  ｍｏｕｎｔａｂｌｅ  ｅｌｅｍｅｎｔ」が含まれる。そして下線が引いてない部分が叙述定義であり：「ｆｏｒ」、「ｃｏｍｐｒｉｓｉｎｇ」、「ｄｉｓｐｏｓｅｄ  ｏｎ」、「ｃｏｎｎｅｃｔｅｄ  ｗｉｔｈ」、「ｓｅｃｕｒｅｌｙ  ｃｏｎｎｅｃｔｅｄ  ｗｉｔｈ」が含まれる。句読点で叙述定義や個別の叙述定義に分類してもいい。
【００２６】
各前記構成要素定義又は各前記叙述定義は、各請求項における位置によって一つの構成属性に分類することができる。なかでも、前記構成要素定義は複数の構成属性に分類することが出来る。例えば、「Ａ  ｍｏｕｎｔｉｎｇ  ｂｒａｃｋｅｔ」、「ａ  ｒｏｏｆ  ｗｉｎｄｏｗ」が主題に位置されるために主題属性に分類される。例えば、「ａ  ｆｒａｍｅ  ｍｏｕｎｔａｂｌｅ  ｅｌｅｍｅｎｔ」、「ａｎ  ｅｄｇｅ  ｏｆ  ｔｈｅ  ｒｏｏｆ  ｗｉｎｄｏｗ」、「ａ  ｒｏｏｆ  ｍｏｕｎｔａｂｌｅ  ｅｌｅｍｅｎｔ」、「ｔｈｅ  ｆｒａｍｅ  ｍｏｕｎｔａｂｌｅ  ｅｌｅｍｅｎｔ」、「ａ  ｈｉｎｇｅ  ｅｌｅｍｅｎｔ」、「ａ  ｂａｓｅ  ｏｆ  ｔｈｅ  ｒｏｏｆ  ｍｏｕｎｔａｂｌｅ  ｅｌｅｍｅｎｔ」が構成要素名詞に位置されるために構成要素属性に分類される。前記構成要素名詞属性は、位置によりさらに主要要素名詞属性及び副次構成要素名詞属性に分類することが出来る。例えば、「ａ  ｆｒａｍｅ  ｍｏｕｎｔａｂｌｅ  ｅｌｅｍｅｎｔ」、「ａ  ｒｏｏｆ  ｍｏｕｎｔａｂｌｅ  ｅｌｅｍｅｎｔ」、「ａ  ｈｉｎｇｅ  ｅｌｅｍｅｎｔ」、が主要構成要素名詞属性に分類されて、「ａｎ  ｅｄｇｅ  ｏｆ  ｔｈｅ  ｒｏｏｆ  ｗｉｎｄｏｗ」、「ａ  ｂａｓｅ  ｏｆ  ｔｈｅ  ｒｏｏｆ  ｍｏｕｎｔａｂｌｅ  ｅｌｅｍｅｎｔ」が主要構成要素名詞属性に分類される。「ｆｏｒ」、「ｃｏｍｐｒｉｓｉｎｇ」、「ｄｉｓｐｏｓｅｄ  ｏｎ」、「ｃｏｎｎｅｃｔｅｄ  ｗｉｔｈ」、「ｓｅｃｕｒｅｌｙ  ｃｏｎｎｅｃｔｅｄ  ｗｉｔｈ」は追記属性に分類することが出来る。「ｗｈｅｒｅｉｎ」が追記名詞であり、故に「ｔｈｅ  ｆｒａｍｅ  ｍｏｕｎｔａｂｌｅ  ｅｌｅｍｅｎｔ」及び「ｉｓ  ａ  ｆｌｅｘｉｂｌｅ  ｍａｔｅｒｉａｌ」は追記セッション属性に分類することが出来る。
【００２７】
図１及び図３ａから図３ｃまでが示すように、属性無制限キーワード入力欄Ｌに「ｍｏｕｎｔｉｎｇ」を入力する場合、属性無制限キーワード入力欄Ｌが構成属性に制限されず、すべての構成属性に検索処理を行うため、前記請求項検索処理、前記明細書検索処理及び前記書誌検索処理を行うことにより複数の検索結果特許Ｒ１、Ｒ２、Ｒ３……が含まれる特許検索結果Ｒが得られる。前記複数の検索結果特許Ｒ１、Ｒ２、Ｒ３に、共にキーワード「ｍｏｕｎｔｉｎｇ」が含まれることに注目されたい。
【００２８】
続いて、前記特許検索結果の各前記検索結果特許Ｒ１、Ｒ２、Ｒ３……の各前記構成属性を備える前記構成要素定義且つ／又は演繹叙述定義を統計することにより、各前記構成属性を備える演繹構成要素定義且つ／又は前記演繹叙述定義を得る定義統計工程Ｓ１０２を執行する。
【００２９】
図３ａから図３ｃが示すように、得られた各検索結果特許の例えが挙げられる。なかでも、図３ａが「ｍｏｕｎｔｉｎｇ  ｕｎｉｔ」の「ｍｏｕｎｔｉｎｇ」により選出され、図３ｂが「ｍｏｕｎｔｉｎｇ  ｅｌｅｍｅｎｔ」の「ｍｏｕｎｔｉｎｇ」により選出され、図３ｃが「ｍｏｕｎｔｉｎｇ  ｃａｓｅ」の「ｍｏｕｎｔｉｎｇ」により選出される。
【００３０】
図３ａでは、各構成属性が含まれる構成要素定義／叙述定義が：前記主題属性が含まれる構成要素定義が「ａ  ｈｉｎｇｅ  ｄｅｖｉｃｅ」であり；前記構成要素名詞属性が含まれる前記構成要素定義が「ｍｏｕｎｔｉｎｇ  ｕｎｉｔ」、「ｂａｓｅ」及び「ｃｏｎｎｅｃｔｉｎｇ  ｕｎｉｔ」であり；前記連接叙述定義属性が含まれる前記叙述定義が「ｄｉｓｐｏｓｅｄ  ｏｎ」及び「ｃｏｎｎｅｃｔｅｄ  ｔｏ」であり、且つ前記連接叙述定義「ｄｉｓｐｏｓｅｄ  ｏｎ」が構成要素定義「ｍｏｕｎｔｉｎｇ  ｕｎｉｔ」及び「ｂａｓｅ」を連接し、前記連接叙述定義「ｃｏｎｎｅｃｔｅｄ  ｔｏ」が構成要素定義「ｃｏｎｎｅｃｔｉｎｇ  ｕｎｉｔ」及び「ｍｏｕｎｔｉｎｇ  ｕｎｉｔ」を連接する；前記追記セッション属性のデータが「ｔｈｅ  ｍｏｕｎｔｉｎｇ  ｕｎｉｔ  ｉｓ  ｃｏｎｆｉｇｕｒｅｄ  ｔｏ  ｐｒｅｓｓ  ｔｈｅ  ｂａｓｅ」であり、構成要素定義と叙述定義とを区別していない。しかし他の実施形態では、前記追記セッション属性が追記セッション構成要素定義及び追記セッション叙述定義にさらに分類することが出来る。特にこの例では前記追記セッション構成要素定義が「ｔｈｅ  ｍｏｕｎｔｉｎｇ  ｕｎｉｔ」及び「ｔｈｅ  ｂａｓｅ」であり、前記追記セッション叙述定義が「ｉｓ  ｃｏｎｆｉｇｕｒｅｄ  ｔｏ  ｐｒｅｓｓ」であり、且つ前記追記セッション叙述定義が前記追記セッション構成要素定義「ｔｈｅ  ｍｏｕｎｔｉｎｇ  ｕｎｉｔ」及び「ｔｈｅ  ｂａｓｅ」を連接させる。
【００３１】
図３ｂに、各構成属性が含まれる構成要素定義／叙述定義が：前記主題属性が含まれる構成要素定義が「ｆｒａｍｅ」であり；前記構成要素名詞属性が含まれる前期構成要素定義が「ａｔｔａｃｈｉｎｇ  ｅｌｅｍｅｎｔ」、「ｈｏｕｓｉｎｇ」及び「ｍｏｕｎｔｉｎｇ  ｅｌｅｍｅｎｔ」であり；前記連接叙述定義属性が含まれる「ａｔｔａｃｈｉｎｇ  ｔｏ」及び「ｍｏｕｎｔｓ  ｗｉｔｈ」、且つ前記連接叙述定義「ａｔｔａｃｈｉｎｇ  ｔｏ」が構成要素定義「ａｔｔａｃｈｉｎｇ  ｅｌｅｍｅｎｔ」及び「ｈｏｕｓｉｎｇ」を連接させて、前記連接叙述定義「ｍｏｕｎｔｓ  ｗｉｔｈ」が構成要素定義「ｍｏｕｎｔｉｎｇ  ｅｌｅｍｅｎｔ」及び「ａｔｔａｃｈｉｎｇ  ｅｌｅｍｅｎｔ」を連接させる；前記追記セッション属性のデータ内容が「ｔｈｅ  ｍｏｕｎｔｉｎｇ  ｅｌｅｍｅｎｔ  ｈａｓ  ａ  ｓｅｐａｒａｔｉｎｇ  ｕｎｉｔ  ｔｈａｔ  ｒｅｌｅａｓｅｓ  ｔｈｅ  ｈｏｕｓｉｎｇ」、構成要素定義及び叙述定義に分類されてない。しかし他の実施形態では、前記追記セッション属性が追記セッション構成要素定義及び追記セッション叙述定義にさらに分類される。この例において前記追記セッション構成要素定義が「ｔｈｅ  ｍｏｕｎｔｉｎｇ  ｅｌｅｍｅｎｔ」、「ｓｅｐａｒａｔｉｎｇ  ｕｎｉｔ」及「ｈｏｕｓｉｎｇ」、前記追記セッション叙述定義が「ｈａｓ」、「ｒｅｌｅａｓｅｓ」、且つ前記追記セッション叙述定義が前記追記セッション構成要素定義「  ｍｏｕｎｔｉｎｇ  ｅｌｅｍｅｎｔ」、「ｓｅｐａｒａｔｉｎｇ  ｕｎｉｔ」及び「ｈｏｕｓｉｎｇ」を連接させる。
【００３２】
図３ｃでは、各構成属性を備える構成要素定義／叙述定義は：前記主題属性を備える構成要素定義が「ａｔｔａｃｈａｂｌｅ  ｄｅｖｉｃｅ」；前記構成要素名詞属性を備える前記構成要素定義が「ｍｏｖｉｎｇ  ｅｌｅｍｅｎｔ」、「ａｘｉｓ」及び「ａｔｔａｃｈｉｎｇ  ｅｌｅｍｅｎｔ」；前記連接叙述定義を備える前記叙述定義が「ｒｏｔａｔｅｓ  ａｒｏｕｎｄ」及び「ａｔｔａｃｈｅｓ」、且つ前記叙述定義「ｒｏｔａｔｅｓ  ａｒｏｕｎｄ」が構成要素定義「ｍｏｖｉｎｇ  ｅｌｅｍｅｎｔ」及び「ａｘｉｓ」が連接させるもの、そして前記連接叙述定義「ａｔｔａｃｈ」が構成要素定義「ａｔｔａｃｈｉｎｇ  ｅｌｅｍｅｎｔ」及び「ｍｏｖｉｎｇ  ｅｌｅｍｅｎｔ」を連接させるものである；前記追記セッション属性のデータ内容が「ｔｈｅ  ａｔｔａｃｈｉｎｇ  ｅｌｅｍｅｎｔ  ｉｓ  ａｔｔａｃｈｅｄ  ｔｏ  ａ  ｍｏｕｎｔｉｎｇ  ｃａｓｉｎｇ」で、構成要素定義及び叙述定義を区別してない。しかし他の実施例では、前記追記セッション属性がさらに追記セッション構成要素定義及び追記セッション叙述定義に分類されることができる。本形態では前記追記セッション構成要素定義が「ｔｈｅ  ａｔｔａｃｈｉｎｇ  ｅｌｅｍｅｎｔ」及び「ｍｏｕｎｔｉｎｇ  ｃａｓｉｎｇ」、前記追記セッション叙述定義が「ｉｓ  ａｔｔａｃｈｅｄ  ｔｏ」、且つ前記追記セッション叙述定義が前記追記セッション構成要素定義「ａｔｔａｃｈｉｎｇ  ｅｌｅｍｅｎｔ」及び「ｍｏｕｎｔｉｎｇ  ｃａｓｉｎｇ」を連接させるものである。
【００３３】
上記図３ａから図３ｃまでは得られた複数の検索結果特許（Ｒ１、Ｒ２、Ｒ３）の例である。前記得られた複数の検索結果特許Ｒ１、Ｒ２、Ｒ３……は数万、数千又は数百個である可能性がある。複数の検索結果特許Ｒ１、Ｒ２、Ｒ３……を特許検索結果Ｒとする。
【００３４】
前記定義統計工程Ｓ１０２では、上述図３ａから図３ｃを例として、各検索結果特許Ｒ１、Ｒ２、Ｒ３……の主題属性、構成要素名詞属性、連接叙述定義属性及び追記セッション属性の構成要素属性且つ／又は叙述定義を統計する。
【００３５】
主題の属性として：図３ａの「ｈｉｎｇｅ  ｄｅｖｉｃｅ」；図３ｂの「ｆｒａｍｅ」；及び図３ｃの「ａｔｔａｃｈａｂｌｅ  ｄｅｖｉｃｅ」が得られる。構成要素名詞属性として：図３ａの「ｍｏｕｎｔｉｎｇ  ｕｎｉｔ」及び「ｃｏｎｎｅｃｔｉｎｇ  ｕｎｉｔ」；図３ｂの「ａｔｔａｃｈｉｎｇ  ｅｌｅｍｅｎｔ」、「ｍｏｕｎｔｉｎｇ  ｅｌｅｍｅｎｔ」；及び図３ｃの「ｍｏｖｉｎｇ  ｅｌｅｍｅｎｔ」、「ａｘｉｓ」及び「ａｔｔａｃｈｉｎｇ  ｅｌｅｍｅｎｔ」が得られる。連接叙述定義属性として：図３ａの「ｄｉｓｐｏｓｅｄ  ｏｎ」及び「ｃｏｎｎｅｃｔｅｄ  ｔｏ」；図３ｂの「ａｔｔａｃｈｉｎｇ  ｔｏ」及び「ｍｏｕｎｔｓ  ｗｉｔｈ」；及び図３ｃの「ｒｏｔａｔｅｓ  ａｒｏｕｎｄ」及び「ａｔｔａｃｈｅｓ」が得られる。追記セッション構成要素定義として：図３ａの「ｍｏｕｎｔｉｎｇ  ｕｎｉｔ」及び「ｂａｓｅ」；図３ｂの「ｍｏｕｎｔｉｎｇ  ｅｌｅｍｅｎｔ」、「ｓｅｐａｒａｔｉｎｇ  ｕｎｉｔ」及び「ｈｏｕｓｉｎｇ」；図３ｃの「ａｔｔａｃｈｉｎｇ  ｅｌｅｍｅｎｔ」及び「ｍｏｕｎｔｉｎｇ  ｃａｓｅ」が得られる。追記セッション叙述定義として：図３ａの「ｃｏｎｆｉｇｕｒｅｄ  ｔｏ  ｐｒｅｓｓ」；図３ｂの「ｈａｓ」及び「ｒｅｌｅａｓｅ」；及び図３ｃの「ａｔｔａｃｈｅｄ  ｔｏ」が含まれる。
【００３６】
上述で得られる各構成要素定義及び叙述定義では、例えば「ｄｅｖｉｃｅ」、「ｕｎｉｔ」、「ｃｏｎｆｉｇｕｒｅ  ｔｏ」、「ｔｏ」、「ｗｉｔｈ」、「ｈａｓ」、「ｔｈａｔ」、「ｔｈｅ」、「ａ」、「ｗｈｉｃｈ」、「ｉｓ」など、省ける定義文字がある。故にフィルタリングデータシートを設けて、これら省ける定義文字をフィルタに掛ける。
【００３７】
且つ、前記定義統計工程Ｓ１０２は各構成属性が得られる構成要素定義且つ／又は叙述定義の集結統計を直接に行える他、前記定義統計工程に前記特許検索結果Ｒの各検索結果特許Ｒ１、Ｒ２、Ｒ３……の各構成属性が備われる構成要素定義且つ／又は叙述定義の品詞形式を原形形式に還元する品詞形式還元サブ工程をさらに備えさせることにより、前記原形形式で前記構成要素定義且つ／又は前記叙述定義の統計を行う。
【００３８】
例えば、「ｍｏｕｎｔｉｎｇ」を原形形式に還元し「ｍｏｕｎｔ」を得て、「ｃｏｎｎｅｃｔｉｎｇ」を「ｃｏｎｎｅｃｔ」に、「ｄｉｓｐｏｓｅｄ」を「ｄｉｓｐｏｓｅ」に、「ａｔｔａｃｈｉｎｇ」を「ａｔｔａｃｈ」に、「ｍｏｕｎｔｓ」を「ｍｏｕｎｔ」に、「ｒｅｌｅａｓｅｓ」を「ｒｅｌｅａｓｅ」に、「ｒｏｔａｔｅｓ」を「ｒｏｔａｔｅ」に，「ａｔｔａｃｈｅｄ」を「ａｔｔａｃｈ」に還元する。
【００３９】
前記品詞形式還元サブ工程が執行された後、前述図３ａから図３ｃを例として、統計に基づいて得られる主題属性が：「ｈｉｎｇｅ」、「ｆｒａｍｅ」及び「ａｔｔａｃｈ」、統計に基づいて得られる構成要素名詞属性が「ｍｏｕｎｔ」、「ｂａｓｅ」、「ｃｏｎｎｅｃｔ」、「ａｔｔａｃｈ」、「ｍｏｖｅ」、「ａｘｉｓ」及び「ｃａｓｅ」である。統計に基づいて得られる連接叙述定義属性が：「ｄｉｓｐｏｓｅ」、「ｃｏｎｎｅｃｔ」、「ｐｒｅｓｓ」、「ａｔｔａｃｈ」、「ｍｏｕｎｔ」及び「ｒｏｔａｔｅ  ａｒｏｕｎｄ」である。統計に基づいて得られる追記セッション構成要素定義が：「ｍｏｕｎｔ」、「ｂａｓｅ」、「ｓｅｐａｒａｔｅ」、「ｈｏｕｓｉｎｇ」、「ａｔｔａｃｈ」及び「ｍｏｕｎｔｉｎｇ  ｃａｓｅ」である。即ち、一つの構成要素定義が二つ以上の文字により定義される場合、分別表示せず、同時に表示する。しかし本発明はこれに限定されず、分別表示することもできる。統計に基づいて得られる追記セッション叙述定義が：「ｐｒｅｓｓ」、「ｒｅｌｅａｓｅ」、「ａｔｔａｃｈ」である。
【００４０】
統計に基づいて得られる前記特許検索結果Ｒの各検索結果特許Ｒ１、Ｒ２、Ｒ３……の各構成属性を備える構成要素定義且つ／又は叙述定義を、演繹構成要素定義且つ／又は演繹叙述定義にすることにより、各構成属性を備える前記演繹構成要素定義且つ／又は前記演繹叙述定義が得られる。
【００４１】
なお、本発明の前記定義統計工程Ｓ１０２によって各構成属性を備える各前記演繹構成要素定義且つ／又は前記演繹叙述定義それぞれの出現回数を統計して、それぞれの出現回数により番付を行って、各構成属性を備える各前記演繹構成要素定義の番付結果且つ／又は前記演繹叙述定義の番付結果を導き出す。
【００４２】
一つの実施形態では、前記定義統計工程Ｓ１０２が各検索結果特許の前記検索キーワードの前記従属構成属性において前記検索キーワードと異なる構成属性定義且つ／又は叙述定義を得て前記演繹構成要素定義且つ／又は前記演繹叙述定義を導き出す。即ち、「ｍｏｕｎｔｉｎｇ」が入力される場合、構成属性においては「ｍｏｕｎｔｉｎｇ」又は「ｍｏｕｎｔｓ」の文字定義の時、削除を行う。
【００４３】
即ち、前述各構成属性の文字定義のそれぞれの出現回数をそれぞれに統計して、番付を行う。例えば、主題属性：「ｈｉｎｇｅ」（１回）、「ｆｒａｍｅ」（１回）及び「ａｔｔａｃｈ」（１回）が得られて、構成要素名詞属性：「ｍｏｕｎｔ」（３回）、「ｂａｓｅ」（１回）、「ｃｏｎｎｅｃｔ」（１回）、「ａｔｔａｃｈ」（２回）、「ｍｏｖｅ」（１回）、「ａｘｉｓ」（１回）及び「ｃａｓｅ」（１回）が得られて、連接叙述定義属性：「ｄｉｓｐｏｓｅ」（１回）、「ｃｏｎｎｅｃｔ」（１回）、「ｐｒｅｓｓ」（１回）、「ａｔｔａｃｈ」（２回）、「ｍｏｕｎｔ」（１回）及び「ｒｏｔａｔｅ  ａｒｏｕｎｄ」（１回）が得られて、追記セッション構成要素定義：「ｍｏｕｎｔ」（３回）、「ｂａｓｅ」（１回）、「ｓｅｐａｒａｔｅ」（１回）、「ｈｏｕｓｉｎｇ」（１回）、「ａｔｔａｃｈ」（１回）及び「ｍｏｕｎｔｉｎｇ  ｃａｓｅ」（１回）が得られて、追記セッション叙述定義：「ｐｒｅｓｓ」（１回）、「ｒｅｌｅａｓｅ」（１回）及び「ａｔｔａｃｈ」（１回）が得られる。
【００４４】
続いて、キーワードアドバイス提供工程Ｓ１０３について、各構成属性を備える前記演繹叙述定義番付結果且つ／又は前記演繹叙述定義番付結果に基いて各構成属性を備える前記演繹叙述定義且つ／又は前記演繹叙述定義を提供して前記アドバイスキーワードＫ’とする。図２が示すように、統計に基づいて後に得られる各構成属性を備える文字定義を使用者に選択させられるようにアドバイスキーワードＫ’として表示させる。
【００４５】
図２では、書誌データ属性の技術分類番号属性入力欄Ｌ７１、特許権者属性入力欄Ｌ７２及び発明者属性入力欄がさらに含まれる。
【００４６】
さらに、前記キーワードアドバイス提供工程Ｓ１０３後、選択者に前記キーワードアドバイス提供工程Ｓ１０３が提供したアドバイスキーワードＫ’を選択させるように、キーワード選択インターフェースを提供するアドバイスキーワード選択工程がさらに含まれる。表示された各アドバイスキーワードＫ’の前に、使用者に前記アドバイスキーワードを受け入れるかどうかを選択させるようにアドバイスキーワードチェックボックスＳが含まれる。前記図４は四つの構成属性が所属するキーワード入力欄を選択した後、且つ前記選択される四つの構成属性が所属するキーワード入力欄に入力される前記検索キーワードに「ＡＮＤ」を加えて帰納処理を行うことにより得られる表示画面である。しかし本発明はそれに限らず、選択される四つの構成属性が所属するキーワード入力欄に入力される前記検索キーワードに「ＯＲ」を加えて演繹処理を行うこともできる。演繹処理の場合、得られる検索結果特許はより多くなる。
【００４７】
前記キーワードアドバイス提供工程が提供するアドバイスキーワードＫ’が選択された後、前記複数の検索結果特許Ｒ１、Ｒ２、Ｒ３……の数且つ／又は数の変化が表示される。図２のように属性非制限キーワード入力欄Ｌに「ｍｏｕｎｔｉｎｇ」が入力される場合、特許数は５２２２８である。図４が示すように、四つの構成属性が所属するキーワード入力欄を選択して「ＡＮＤ」処理を加える場合、特許数が５２２２８から２０１４になる。そして図５が示すように、さらに二つを加え、合計六つのアドバイスキーワードを選択して「ＡＮＤ」処理を加える場合、特許数が２８６個になって、特許数及び特許数の変化が得られる。使用者は前記２８６個の検索結果特許を閲覧することにより、何れかの特許がさらに分析する必要があるかを判断することが出来る。
【００４８】
図２、４、５が示すように、各構成属性が所属するキーワード入力欄の左端に、構成属性選択ボックスが含まれる。前記構成属性選択ボックスが画面表示を単純化させるために、選択された後に削除され、入力可能な構成属性が所属するキーワード入力欄を表示せずにすることができる。
【００４９】
本発明の検索キーワードを薦める方法は前記検索キーワードと特許実務上に関連するデータ関連性アドバイスキーワードが得られて、故に本発明は従来の同義語方式と比べるとより科学的、ロジック的であり、故に検索の精度が高くなる。且つ検索方向が正確なことにより需要に応じて帰納することができるため検索結果の数を減らすことができる。
【００５０】
前記キーワード検索執行工程Ｓ１０１では、前記属性非制限キーワード入力欄Ｌに「ｍｏｕｎｔｉｎｇ」を入力する他、図６が示すように、指定されるキーワード入力欄（前記主題キーワード入力欄Ｌ１、前記構成要素キーワード入力欄Ｌ２、前記連接叙述定義キーワード入力欄Ｌ３或いは追記セッションキーワード入力欄Ｌ４）に検索キーワードＫを入力し、且つ前記選択される四つの構成属性が所属するキーワード入力欄に入力される前記キーワードに「ＡＮＤ」を加えて帰納処理を執行することにより得られる表示画面である。しかし、本発明はそれに限らず、前記選択される四つの構成属性が所属するキーワード入力欄に入力される前記検索キーワードに「ＯＲ」を加えて演繹処理を行う。演繹処理の場合、得られる検索結果特許がより多くなる。図７及び図８が続いてアドバイスキーワードを選択する表示画面である。
【００５１】
なお、一つの実施形態において、前記検索キーワードＫが指定される前記所属構成属性が含まれる構成要素定義且つ／又は叙述定義に現れることに等しい。即ち、「ｍｏｕｎｔｉｎｇ」が入力される場合、得られる複数の検索結果特許Ｒ１、Ｒ２、Ｒ３……がすべての構成属性に「ｍｏｕｎｔｉｎｇ」である文字定義が等しく含まれる。しかし本発明は前記検索キーワードＫが指定される前記所属構成属性が含まれる構成要素定義且つ／又は叙述定義に曖昧に現れることとして、前記請求項検索処理且つ／又は前記明細書検索処理且つ／又は前記書誌データ検索処理を行う。即ち、「ｍｏｕｎｔｉｎｇ」が入力される場合、得られる複数の検索結果特許Ｒ１、Ｒ２、Ｒ３……がすべての構成属性に「ｍｏｕｎｔｓ」或いは「ｍｏｕｎｔｅｄ」である文字定義が含まれる。
【００５２】
以上の記述のように、本発明の検索キーワードを薦める方法では、前記検索キーワードと特許実務上に関連するデータ関連性アドバイスキーワードが得られて、故に本発明は、従来の同義語方式と比べるとより科学的、ロジック的であり、故に検索の精度が高くなり、且つ検索方向が正確なことにより需要に応じて帰納することができるため検索結果の数を減らすことができる。
【００５３】
当該分野の技術を熟知するものが理解できるように、本発明の最適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５４】
Ｄ…特許データベース
Ｋ…検索キーワード
Ｋ’…アドバイスキーワード
Ｌ…属性非限定キーワード入力欄
Ｌ１…主題キーワード入力欄
Ｌ２…構成要素名詞キーワード入力欄
Ｌ３…連接叙述定義キーワード入力欄
Ｌ４…追記セッションキーワード入力欄
Ｌ７…書誌データキーワード入力欄
Ｌ７１…技術分類番号キーワード入力欄
Ｌ７２…特許権者キーワード入力欄
Ｌ７３…発明者キーワード入力欄
Ｒ…特許検索結果
Ｒ１…検索結果特許
Ｒ２…検索結果特許
Ｒ３…検索結果特許
Ｓ…アドバイスキーワードチェックボックス
Ｓ１０１…キーワード検索執行工程
Ｓ１０２…定義統計工程
Ｓ１０３…キーワードアドバイス提供工程
【図１】
2018133077.tif 000002
【図２】
2018133077.tif 000003
【図３ａ】
2018133077.tif 000004
【図３ｂ】
2018133077.tif 000005
【図３ｃ】
2018133077.tif 000006
【図４】
2018133077.tif 000007
【図５】
2018133077.tif 000008
【図６】
2018133077.tif 000009
【図７】
2018133077.tif 000010
【図８】
2018133077.tif 000011
【図９】
2018133077.tif 000012
【図１０】
2018133077.tif 000013